(57)【要約】【課題】  把持部を短くすることなく継手どうしを近づけて配置することができる、継手を提供する。【解決手段】  継手２は、バルブ機構４と、そのバルブ機構４を開閉する操作部７とを備える。操作部７は、軸部７ａと、その軸部７ａから延出する把持部７ｂとを有する。そして、操作部７の回動において、把持部７ｂは、回動軸心Ｙの方向から見て、継手軸心Ｘに沿う第１位置と継手軸心Ｘに直交する第２位置とに回動する。そこで、継手２、２どうしを、並設するにあたって、一の継手２の把持部７ｂが、前記第２位置にて、他の継手２の軸部７ａと、回動軸心Ｙの方向から見て重なるまで、それら継手２、２を互いに近づけて配置した際に、それら継手２、２の操作部７、７が互いに干渉することなく個別に操作可能となるよう、把持部７ｂの先端部は、軸部７ａの上面および把持部７ｂの基端側の上面よりも上方に位置する。【選択図】  図１
2010286075.tif 000002
【特許請求の範囲】
【請求項１】
筒状に形成された継手本体の内部にバルブ機構を備えた継手であって、
回動により前記バルブ機構を開閉する操作部を備えており、その操作部は、前記継手本体の軸心となる継手軸心に直交する回動軸心回りに回動可能となるよう、その継手本体に軸支され、また、
前記操作部は、前記継手本体に支持されて前記回動軸心の方向に突出する軸部と、その軸部から前記回動軸心と交差する方向に延出する把持部とを有し、
前記操作部の回動において、前記把持部は、前記回動軸心の方向から見て、前記継手軸心に沿う第１位置と前記継手軸心に直交する第２位置とに回動可能であって、かつ、
前記把持部は、前記回動軸心の方向から見て、前記第２位置にて、前記継手本体の外形よりも外方まで延びる長さを備え、
前記継手どうしを、前記継手軸心および前記回動軸心に直交する方向に並設するにあたって、一の継手の前記操作部の回動する操作部回動範囲と、他の継手の前記操作部の回動する操作部回動範囲とが、前記回動軸心の方向から見て一部が重なるまで、それら継手を互いに近づけて配置した際に、それら継手の前記操作部が互いに干渉することなく個別に操作可能となるよう、前記操作部は、前記一の継手の前記操作部回動範囲と前記他の継手の前記操作部回動範囲との重なる範囲を形成するそれぞれの部位が、前記回動軸心の方向に互いにずれるように設けられていることを特徴とする、継手。
【請求項２】
前記継手どうしを、前記継手軸心および前記回動軸心に直交する方向に並設するにあたって、一の継手の前記把持部が、前記第２位置にて、その把持部の延出する側にある他の継手の前記軸部と、前記回動軸心の方向から見て重なることで、前記一の継手の前記操作部の回動する操作部回動範囲と、前記他の継手の前記操作部の回動する操作部回動範囲とが、前記回動軸心の方向から見て一部が重なることとなるまで、それら継手を互いに近づけて配置した際に、それら継手の前記操作部が互いに干渉することなく個別に操作可能となるよう、前記操作部において、前記把持部の先端部が、前記軸部の突出する方向を上方とみなして、前記軸部の上面および前記把持部の基端側の上面よりも上方に位置することで、前記操作部は、前記一の継手の前記操作部回動範囲と前記他の継手の前記操作部回動範囲との重なる範囲を形成するそれぞれの部位が、前記回動軸心の方向に互いにずれるように設けられることを特徴とする、請求項１に記載の継手。
【請求項３】
前記継手どうしを、前記継手軸心および前記回動軸心に直交する方向に並設するにあたって、一の継手の前記把持部が、前記第２位置にて、その把持部の延出する側にある他の継手の前記軸部と、前記回動軸心の方向から見て重なり、かつ、前記継手本体どうしが当接するまで、それら継手を互いに近づけて配置した際に、それら継手の前記操作部が互いに干渉することなく個別に操作可能となるよう、前記操作部において、前記把持部の先端部は、前記軸部の突出する方向を上方とみなして、前記軸部の上面および前記把持部の基端側の上面よりも上方に位置することを特徴とする、請求項２に記載の継手。
【請求項４】
前記把持部は、前記軸部の突出する方向を上方とみなして、基端よりも先端が上方に位置するよう、傾斜して形成されていることを特徴とする、請求項２または３に記載の継手。
【請求項５】
前記把持部は、前記軸部の突出する方向を上方とみなして、先端部分の下面が、斜めの面で面取りされた形状をしていることを特徴とする、請求項２ないし４のいずれか１項に記載の継手。
【請求項６】
前記継手本体は、一端に、ヘッダー等の第２の継手の継手受口に連結される連結口を備え、他端に流体管が接続される接続口を備え、
前記連結口は、その連結口を前記第２の継手の前記継手受口に対して回動させることなく前記継手受口の軸心方向に移動させることで前記継手受口に挿入されて、その継手受口に、抜け止め手段によって抜け止めされた状態で連結されることを特徴とする、請求項１ないし５のいずれか１項に記載の継手。
【請求項７】
前記連結口は、前記継手受口に挿入されて、その継手受口に、前記抜け止め手段としての着脱自在な抜け止め係止具によって抜け止めされた状態で連結されることを特徴とする、請求項６に記載の継手。
【請求項８】
筒状に形成された継手本体の内部にバルブ機構を備えた複数の継手と、前記複数の継手が並列して連結される複数の継手受口を備えたヘッダーとからなり、
前記継手は、回動により前記バルブ機構を開閉する操作部を備えており、その操作部は、前記継手本体の軸心となる継手軸心に直交する回動軸心回りに回動可能となるよう、その継手本体に軸支され、また、
前記操作部は、前記継手本体に支持されて前記回動軸心の方向に突出する軸部と、その軸部から前記回動軸心と交差する方向に延出する把持部とを有し、
前記操作部の回動において、前記把持部は、前記回動軸心の方向から見て、前記継手軸心に沿う第１位置と前記継手軸心に直交する第２位置とに回動可能であって、かつ、
前記把持部は、前記回動軸心の方向から見て、前記第２位置にて、前記継手本体の外形よりも外方まで延びる長さを備え、
複数の前記継手は、それらの連結口が、それぞれ前記継手受口に連結されて、前記継手軸心および前記回動軸心に直交する方向に並設され、かつ、その並設にあたって、一の継手の前記操作部の回動する操作部回動範囲と、他の継手の前記操作部の回動する操作部回動範囲とが、前記回動軸心の方向から見て一部が重なるまで、それら継手が互いに近づいており、
複数の前記継手が前記ヘッダーの前記継手受口に連結された状態で、隣合う継手の前記操作部が互いに干渉することなく個別に操作可能となるよう、前記操作部は、前記一の継手の前記操作部回動範囲と前記他の継手の前記操作部回動範囲との重なる範囲を形成するそれぞれの部位が、前記回動軸心の方向に互いにずれるように設けられていることを特徴とする、ヘッダー装置。
【請求項９】
複数の前記継手は、それらの連結口が、それぞれ前記継手受口に連結されて、前記継手軸心および前記回動軸心に直交する方向に並設され、かつ、その並設にあたって、一の継手の前記把持部が、前記第２位置にて、その把持部の延出する側にある他の継手の前記軸部と、前記回動軸心の方向から見て重なることで、前記一の継手の前記操作部の回動する操作部回動範囲と、前記他の継手の前記操作部の回動する操作部回動範囲とが、前記回動軸心の方向から見て一部が重なることとなるまで、それら継手が互いに近づいており、
複数の前記継手が前記ヘッダーの前記継手受口に連結された状態で、隣合う継手の前記操作部が互いに干渉することなく個別に操作可能となるよう、前記操作部において、前記把持部の先端部が、前記軸部の突出する方向を上方とみなして、前記軸部の上面および前記把持部の基端側の上面よりも上方に位置することで、前記操作部は、前記一の継手の前記操作部回動範囲と前記他の継手の前記操作部回動範囲との重なる範囲を形成するそれぞれの部位が、前記回動軸心の方向に互いにずれるように設けられることを特徴とする、請求項８に記載のヘッダー装置。
【発明の詳細な説明】
【技術分野】
【０００１】
この発明は、バルブ機構を備える継手およびヘッダー装置に関するものである。
【背景技術】
【０００２】
従来、流体を複数の流路に分岐するヘッダーにおいて、複数並設された分岐受口に対応して、バルブ付きの継手を接続することがあった（例えば、特許文献１参照）。この継手は、内部にバルブ機構が設けられ、そのバルブ機構には、手で回動操作される操作部が取り付けられた。この操作部は、回動軸心を形成する軸部とその軸部から横方向に延出するレバー状の把持部とからなり、この把持部を把持して回動操作することで、バルブ機構が開閉された。
【先行技術文献】
【特許文献】
【０００３】
【特許文献１】特開２００４−８４６８２号公報
【発明の概要】
【発明が解決しようとする課題】
【０００４】
ところで、前記従来の継手が接続されたヘッダーにあっては、各継手に設けられた操作部を個別に操作した際に、それら操作部が互いに干渉しないようにするために、操作部の回動軸心方向から見て操作部が重ならないように、継手どうしを離して設置したり、把持部を短くする必要があった。しかし、継手どうしを離して設置すると、全体が大きくなり、また、把持部を短くすると、操作しにくくなり、好ましくなかった。
【０００５】
この発明は、上記した従来の欠点を解決するためになされたものであり、その目的とするところは、把持部を短くすることなく、継手どうしを近づけて配置することができる、継手を提供することにある。また、この発明の目的とするところは、把持部を短くすることなく、継手どうしを近づけて配置することができたり、把持部を長くすることができる、ヘッダー装置を提供することにある。
【課題を解決するための手段】
【０００６】
この発明に係る継手およびヘッダー装置は、前記目的を達成するために、次の構成からなる。すなわち、
請求項１に記載の発明に係る継手は、筒状に形成された継手本体の内部にバルブ機構を備えた継手であって、回動により前記バルブ機構を開閉する操作部を備えており、その操作部は、前記継手本体の軸心となる継手軸心に直交する回動軸心回りに回動可能となるよう、その継手本体に軸支される。ここで、前記操作部は、前記継手本体に支持されて前記回動軸心の方向に突出する軸部と、その軸部から前記回動軸心と交差する方向に延出する把持部とを有する。そして、前記操作部の回動において、前記把持部は、前記回動軸心の方向から見て、前記継手軸心に沿う第１位置と前記継手軸心に直交する第２位置とに回動可能であって、かつ、前記把持部は、前記回動軸心の方向から見て、前記第２位置にて、前記継手本体の外形よりも外方まで延びる長さを備える。そこで、前記継手どうしを、前記継手軸心および前記回動軸心に直交する方向に並設するにあたって、一の継手の前記操作部の回動する操作部回動範囲と、他の継手の前記操作部の回動する操作部回動範囲とが、前記回動軸心の方向から見て一部が重なるまで、それら継手を互いに近づけて配置した際に、それら継手の前記操作部が互いに干渉することなく個別に操作可能となるよう、前記操作部は、前記一の継手の前記操作部回動範囲と前記他の継手の前記操作部回動範囲との重なる範囲を形成するそれぞれの部位が、前記回動軸心の方向に互いにずれるように設けられている。
【０００７】
この継手によると、継手どうしを、継手軸心および回動軸心に直交する方向に並設するにあたって、一の継手の操作部回動範囲と、他の継手の操作部回動範囲とが、回動軸心の方向から見て一部が重なるまで、継手を互いに近づけて配置した場合であっても、操作部が個別に操作可能となるように、操作部は、一の継手の操作部回動範囲と他の継手の操作部回動範囲との重なる範囲を形成するそれぞれの部位が、回動軸心の方向に互いにずれるように設けられている。このように、操作部において、一の継手の操作部回動範囲と他の継手の操作部回動範囲との重なる範囲を形成するそれぞれの部位を、回動軸心の方向に互いにずらすことで、操作部における把持部を短くすることなく、継手どうしを、操作部回動範囲が重なるまで近づけて配置することができる。
【０００８】
請求項２に記載の発明に係る継手は、請求項１に記載の継手において、前記継手どうしを、前記継手軸心および前記回動軸心に直交する方向に並設するにあたって、一の継手の前記把持部が、前記第２位置にて、その把持部の延出する側にある他の継手の前記軸部と、前記回動軸心の方向から見て重なることで、前記一の継手の前記操作部の回動する操作部回動範囲と、前記他の継手の前記操作部の回動する操作部回動範囲とが、前記回動軸心の方向から見て一部が重なることとなるまで、それら継手を互いに近づけて配置した際に、それら継手の前記操作部が互いに干渉することなく個別に操作可能となるよう、前記操作部において、前記把持部の先端部が、前記軸部の突出する方向を上方とみなして、前記軸部の上面および前記把持部の基端側の上面よりも上方に位置することで、前記操作部は、前記一の継手の前記操作部回動範囲と前記他の継手の前記操作部回動範囲との重なる範囲を形成するそれぞれの部位が、前記回動軸心の方向に互いにずれるように設けられる。
【０００９】
この継手によると、継手どうしを、継手軸心および回動軸心に直交する方向に並設するにあたって、一の継手の把持部が、第２位置にて、その把持部の延出する側にある他の継手の軸部と、回動軸心の方向から見て重なるまで、継手を互いに近づけて配置した場合であっても、操作部が個別に操作可能となるように、把持部の先端部は、軸部の突出する方向を上方とみなして、軸部の上面および把持部の基端側の上面よりも上方に位置している。このように、操作部において、把持部の先端部を、軸部の突出する方向を上方とみなして、軸部の上面および把持部の基端側の上面よりも上方に位置させることにより、一の継手の操作部回動範囲と他の継手の操作部回動範囲との重なる範囲を形成するそれぞれの部位を、回動軸心の方向に互いにずらすことで、把持部を短くすることなく、継手どうしを、操作部回動範囲が重なるまで近づけて配置することができる。
【００１０】
また、請求項３に記載の発明に係る継手は、請求項２に記載の継手において、前記継手どうしを、前記継手軸心および前記回動軸心に直交する方向に並設するにあたって、一の継手の前記把持部が、前記第２位置にて、その把持部の延出する側にある他の継手の前記軸部と、前記回動軸心の方向から見て重なり、かつ、前記継手本体どうしが当接するまで、それら継手を互いに近づけて配置した際に、それら継手の前記操作部が互いに干渉することなく個別に操作可能となるよう、前記操作部において、前記把持部の先端部は、前記軸部の突出する方向を上方とみなして、前記軸部の上面および前記把持部の基端側の上面よりも上方に位置する。
【００１１】
この継手によると、継手どうしを、継手軸心および回動軸心に直交する方向に並設するにあたって、一の継手の把持部が、第２位置にて、その把持部の延出する側にある他の継手の軸部と、回動軸心の方向から見て重なり、かつ、継手本体どうしが当接するまで、継手を互いに近づけて配置した場合であっても、操作部が個別に操作可能となるように、把持部の先端部は、軸部の突出する方向を上方とみなして、軸部の上面および把持部の基端側の上面よりも上方に位置している。このように、操作部において、把持部の先端部を、軸部の突出する方向を上方とみなして、軸部の上面および把持部の基端側の上面よりも上方に位置させることで、継手を並設した場合にも、把持部を短くすることなく、継手どうしを、継手本体が当接するまで近づけて配置することができる。
【００１２】
また、請求項４に記載の発明に係る継手は、請求項２または３に記載の継手において、前記把持部は、前記軸部の突出する方向を上方とみなして、基端よりも先端が上方に位置するよう、傾斜して形成される。
【００１３】
また、請求項５に記載の発明に係る継手は、請求項２ないし４のいずれか１項に記載の継手において、前記把持部は、前記軸部の突出する方向を上方とみなして、先端部分の下面が、斜めの面で面取りされた形状をしている。これにより、把持部の基端側の肉厚を確保したまま、把持部の先端部を、軸部の上面おび把持部の基端側の上面よりも上方に位置させることができる。
【００１４】
また、請求項６に記載の発明に係る継手は、請求項１ないし５のいずれか１項に記載の継手において、前記継手本体は、一端に、ヘッダー等の第２の継手の継手受口に連結される連結口を備え、他端に流体管が接続される接続口を備える。そして、前記連結口は、その連結口を前記第２の継手の前記継手受口に対して回動させることなく前記継手受口の軸心方向に移動させることで前記継手受口に挿入されて、その継手受口に、抜け止め手段によって抜け止めされた状態で連結される。こうして、継手受口に連結口を連結するにあたって、連結口、ひいては継手を回動させる必要がなく、このため、継手を並設した場合にも、操作部の干渉を避けて連結することができる。
【００１５】
また、請求項７に記載の発明に係る継手は、請求項６に記載の継手において、前記連結口は、前記継手受口に挿入されて、その継手受口に、前記抜け止め手段としての着脱自在な抜け止め係止具によって抜け止めされた状態で連結される。
【００１６】
また、請求項８に記載の発明に係るヘッダー装置は、筒状に形成された継手本体の内部にバルブ機構を備えた複数の継手と、前記複数の継手が並列して連結される複数の継手受口を備えたヘッダーとからなる。前記継手は、回動により前記バルブ機構を開閉する操作部を備えており、その操作部は、前記継手本体の軸心となる継手軸心に直交する回動軸心回りに回動可能となるよう、その継手本体に軸支される。ここで、前記操作部は、前記継手本体に支持されて前記回動軸心の方向に突出する軸部と、その軸部から前記回動軸心と交差する方向に延出する把持部とを有する。そして、前記操作部の回動において、前記把持部は、前記回動軸心の方向から見て、前記継手軸心に沿う第１位置と前記継手軸心に直交する第２位置とに回動可能であって、かつ、前記把持部は、前記回動軸心の方向から見て、前記第２位置にて、前記継手本体の外形よりも外方まで延びる長さを備える。そこで、複数の前記継手は、それらの連結口が、それぞれ前記継手受口に連結されて、前記継手軸心および前記回動軸心に直交する方向に並設され、かつ、その並設にあたって、一の継手の前記操作部の回動する操作部回動範囲と、他の継手の前記操作部の回動する操作部回動範囲とが、前記回動軸心の方向から見て一部が重なるまで、それら継手が互いに近づいている。そして、複数の前記継手が前記ヘッダーの前記継手受口に連結された状態で、隣合う継手の前記操作部が互いに干渉することなく個別に操作可能となるよう、前記操作部は、前記一の継手の前記操作部回動範囲と前記他の継手の前記操作部回動範囲との重なる範囲を形成するそれぞれの部位が、前記回動軸心の方向に互いにずれるように設けられている。
【００１７】
このヘッダー装置によると、ヘッダーに対して、複数の継手を、継手軸心および回動軸心に直交する方向に並設するにあたって、一の継手の操作部回動範囲と、他の継手の操作部回動範囲とが、回動軸心の方向から見て一部が重なるまで、継手が互いに近づいており、このように継手を配置した場合であっても、操作部が個別に操作可能となるように、操作部は、一の継手の操作部回動範囲と他の継手の操作部回動範囲との重なる範囲を形成するそれぞれの部位が、回動軸心の方向に互いにずれるように設けられている。このように、操作部において、一の継手の操作部回動範囲と他の継手の操作部回動範囲との重なる範囲を形成するそれぞれの部位を、回動軸心の方向に互いにずらすことで、操作部における把持部を短くすることなく、継手どうしを、操作部回動範囲が重なるまで近づけて配置することができたり、把持部を、操作部回動範囲が重なるまで長くすることができる。
【００１８】
また、請求項９に記載の発明に係るヘッダー装置は、請求項８に記載のヘッダー装置において、複数の前記継手は、それらの連結口が、それぞれ前記継手受口に連結されて、前記継手軸心および前記回動軸心に直交する方向に並設され、かつ、その並設にあたって、一の継手の前記把持部が、前記第２位置にて、その把持部の延出する側にある他の継手の前記軸部と、前記回動軸心の方向から見て重なることで、前記一の継手の前記操作部の回動する操作部回動範囲と、前記他の継手の前記操作部の回動する操作部回動範囲とが、前記回動軸心の方向から見て一部が重なることとなるまで、それら継手が互いに近づいている。そして、複数の前記継手が前記ヘッダーの前記継手受口に連結された状態で、隣合う継手の前記操作部が互いに干渉することなく個別に操作可能となるよう、前記操作部において、前記把持部の先端部が、前記軸部の突出する方向を上方とみなして、前記軸部の上面および前記把持部の基端側の上面よりも上方に位置することで、前記操作部は、前記一の継手の前記操作部回動範囲と前記他の継手の前記操作部回動範囲との重なる範囲を形成するそれぞれの部位が、前記回動軸心の方向に互いにずれるように設けられる。
【００１９】
このヘッダー装置によると、ヘッダーに対して、複数の継手を、継手軸心および回動軸心に直交する方向に並設するにあたって、一の継手の把持部が、第２位置にて、その把持部の延出する側にある他の継手の軸部と、回動軸心の方向から見て重なるまで、継手が互いに近づいており、このように継手を配置した場合であっても、操作部が個別に操作可能となるように、把持部の先端部は、軸部の突出する方向を上方とみなして、軸部の上面および把持部の基端側の上面よりも上方に位置している。このように、操作部において、把持部の先端部を、軸部の突出する方向を上方とみなして、軸部の上面および把持部の基端側の上面よりも上方に位置させることにより、一の継手の操作部回動範囲と他の継手の操作部回動範囲との重なる範囲を形成するそれぞれの部位を、回動軸心の方向に互いにずらすことで、把持部を短くすることなく、継手どうしを、操作部回動範囲が重なるまで近づけて配置することができたり、把持部を、操作部回動範囲が重なるまで長くすることができる。
【発明の効果】
【００２０】
この発明に係る継手によれば、操作部において、一の継手の操作部回動範囲と他の継手の操作部回動範囲との重なる範囲を形成するそれぞれの部位を、回動軸心の方向に互いにずらすことで、操作部における把持部を短くすることなく、継手どうしを近づけて配置することができる。
【００２１】
また、この発明に係るヘッダー装置によれば、操作部において、一の継手の操作部回動範囲と他の継手の操作部回動範囲との重なる範囲を形成するそれぞれの部位を、回動軸心の方向に互いにずらすことで、操作部における把持部を短くすることなく、継手どうしを近づけて配置することができたり、把持部を長くすることができる。
【図面の簡単な説明】
【００２２】
【図１】この発明の一実施の形態の、継手の断面図である。
【図２】同じく、図１におけるＡ矢視図である。
【図３】同じく、抜け止め係止具の正面図である。
【図４】同じく、ヘッダー装置の正面図である。
【図５】同じく、ヘッダー装置の断面図である。
【図６】同じく、図４におけるＢ−Ｂ線による要部拡大断面図である。
【図７】同じく、操作部回動範囲を示す正面図である。
【図８】この発明の他の実施の形態の、操作部回動範囲を示す正面図である。
【図９】同じく、図８におけるＣ−Ｃ線による要部断面図である。
【発明を実施するための形態】
【００２３】
以下、この発明に係る継手およびヘッダー装置を実施するための形態を図面に基づいて説明する。
【００２４】
図１〜図７は、本発明の一実施の形態を示す。図中符号１は、配管材としての流体管である。２は、継手であって、筒状に形成された継手本体３の内部にバルブ機構４を備える。５は、ヘッダーであって、前記複数の継手２、２が並列して連結される複数の継手受口５ａを備える。６は、ヘッダー装置であって、複数の前記継手２、２と前記ヘッダー５とからなる。
【００２５】
継手２は、回動により前記バルブ機構４を開閉する操作部７を備えている。そして、その操作部７は、継手本体３の軸心となる継手軸心Ｘに直交する回動軸心Ｙ回りに回動可能となるよう、その継手本体３に軸支される。ここで、操作部７は、継手本体３に支持されて前記回動軸心Ｙの方向に突出する軸部７ａと、その軸部７ａから前記回動軸心Ｙと交差する方向に延出する把持部７ｂとを有する。そして、操作部７の回動において、把持部７ｂは、前記回動軸心Ｙの方向から見て、前記継手軸心Ｘに沿う第１位置（図２において実線で示す）と前記継手軸心Ｘに直交する第２位置（図２において二点鎖線で示す）とに回動可能であり、また、把持部７ｂは、回動軸心Ｙの方向から見て、前記第２位置にて、継手本体３の外形よりも外方まで延びる長さを備えている。
【００２６】
そこで、継手２、２どうしを、前記継手軸心Ｘおよび前記回動軸心Ｙに直交する方向Ｐに並設するにあたって、一の継手２の操作部７の回動する操作部回動範囲Ｒと、他の継手２の操作部７の回動する操作部回動範囲Ｒとが、前記回動軸心Ｙの方向から見て一部が重なるまで、それら継手２、２を互いに近づけて配置した際に、それら継手２、２の操作部７、７が互いに干渉することなく個別に操作可能となるよう、継手２の操作部７は、一の継手２の操作部回動範囲Ｒと他の継手２の操作部回動範囲Ｒとの重なる範囲を形成するそれぞれの部位が、前記回動軸心Ｙの方向に互いにずれるように設けられている（図４、図６、図７参照）。
【００２７】
詳細には、継手２、２どうしを、前記継手軸心Ｘおよび前記回動軸心Ｙに直交する方向Ｐに並設するにあたって、一の継手２の前記把持部７ｂが、前記第２位置にて、その把持部７ｂの延出する側にある他の継手２の軸部７ａと、前記回動軸心Ｙの方向から見て重なることで、一の継手２の操作部７の回動する操作部回動範囲Ｒと、他の継手２の操作部７の回動する操作部回動範囲Ｒとが、前記回動軸心Ｙの方向から見て一部が重なることとなるまで、それら継手２、２を互いに近づけて配置した際に、それら継手２、２の操作部７、７が互いに干渉することなく個別に操作可能となるよう、継手２の操作部７において、把持部７ｂの先端部が、軸部７ａの突出する方向を上方とみなして、軸部７ａの上面および把持部７ｂの基端側の上面よりも上方に位置することで、継手２の操作部７は、一の継手２の操作部回動範囲Ｒと他の継手２の操作部回動範囲Ｒとの重なる範囲を形成するそれぞれの部位が、前記回動軸心Ｙの方向に互いにずれるように設けられる。
【００２８】
また、継手本体３は、一端に、ヘッダー等の第２の継手の継手受口（図示実施の形態においては、ヘッダー５の継手受口５ａ）に連結される連結口３ａを備え、他端に流体管１としての枝管１０１が接続される接続口３ｂを備える。そして、連結口３ａは、その連結口３ａを前記継手受口５ａに対して回動させることなく継手受口５ａの軸心方向Ｑに移動させることで継手受口５ａに挿入されて、その継手受口５ａに、抜け止め手段８によって抜け止めされた状態で連結される。
【００２９】
ヘッダー装置６にあっては、複数の前記継手２、２は、それらの連結口３ａ、３ａが、それぞれヘッダー５の継手受口５ａ、５ａに連結されて、前記継手軸心Ｘおよび前記回動軸心Ｙに直交する方向Ｐに並設され、かつ、その並設にあたって、一の継手２の操作部７の回動する操作部回動範囲Ｒと、他の継手２の操作部７の回動する操作部回動範囲Ｒとが、前記回動軸心Ｙの方向から見て一部が重なるまで、それら継手２、２が互いに近づいている（図４参照）。そして、複数の継手２、２がヘッダー５の継手受口５ａ、５ａに連結された状態で、隣合う継手２、２の操作部７、７が互いに干渉することなく個別に操作可能となるよう、継手２の操作部７は、一の継手２の操作部回動範囲Ｒと他の継手２の操作部回動範囲Ｒとの重なる範囲を形成するそれぞれの部位が、前記回動軸心Ｙの方向に互いにずれるように設けられている（図６、図７参照）。
【００３０】
詳細には、複数の前記継手２、２は、それらの連結口３ａ、３ａが、それぞれヘッダー５の継手受口５ａ、５ａに連結されて、前記継手軸心Ｘおよび前記回動軸心Ｙに直交する方向Ｐに並設され、かつ、その並設にあたって、一の継手２の把持部７ｂが、前記第２位置にて、その把持部７ｂの延出する側にある他の継手２の軸部７ａと、前記回動軸心Ｙの方向から見て重なることで、一の継手２の操作部７の回動する操作部回動範囲Ｒと、他の継手２の操作部７の回動する操作部回動範囲Ｒとが、前記回動軸心Ｙの方向から見て一部が重なることとなるまで、それら継手２、２が互いに近づいている。そして、複数の継手２、２がヘッダー５の継手受口５ａ、５ａに連結された状態で、隣合う継手２、２の操作部７、７が互いに干渉することなく個別に操作可能となるよう、継手２の操作部７において、把持部７ｂの先端部が、軸部７ａの突出する方向を上方とみなして、軸部７ａの上面および把持部７ｂの基端側の上面よりも上方に位置することで、継手２の操作部７は、一の継手２の操作部回動範囲Ｒと他の継手２の操作部回動範囲Ｒとの重なる範囲を形成するそれぞれの部位が、前記回動軸心Ｙの方向に互いにずれるように設けられる。
【００３１】
具体的には、流体管１は、例えば、湯水（水あるいは湯）を供給する給水湯管からなる。この流体管１は、可撓性を有する合成樹脂製の管であって、例えば、架橋ポリエチレンとかポリブデン等の合成樹脂管からなる。そして、流体管１は、図５に示すように、その端部部分１ａの外周に、リング体９が設けられている。このリング体９は、筒状に形成されて、流体管１の端部部分１ａ（詳細には、端部部分１ａにおける、外周にオーリング等のパッキンからなる止水部材１０が密着するための端部部分前部１ｂよりも後方の、端部部分後部１ｃ）の外周に嵌められて固定される。なお、図中符号１１は、流体管１の端部部分１ａに挿入されたインコアであって、このインコア１１によって、流体管１の潰れが防止される。
【００３２】
継手２は、その継手本体３が、直状に形成されている。この継手本体３は、一端側の第１部材３０１と、他端側の第２部材３０２と、その第２部材３０２の後端に取り付けられる係止具止め部材３０３とから構成される。
【００３３】
第１部材３０１は、筒状に形成されて、その先端側が、前記連結口３ａとなり、後端側が、内部に前記バルブ機構４を収容するバルブ機構収容部３ｃとなっている。連結口３ａは、外周にオーリング等のパッキンからなる止水部材１０が密着するための先端部３ｄの後方が、その先端部３ｄよりも径大に形成された環状部３ｅとなっている。そして、この環状部３ｅの後部には、前記抜け止め手段８としての着脱自在な抜け止め係止具８ａが係合する係合溝３ｆが形成されている。すなわち、この連結口３ａは、ヘッダー等の第２の継手の継手受口（図示実施の形態においては、ヘッダー５の継手受口５ａ）に挿入されて、その継手受口５ａに、係合溝３ｆに係合する前記抜け止め係止具８ａによって抜け止めされた状態で連結される。また、バルブ機構収容部３ｃには、内部と外部とを連通するように、前記回動軸心Ｙを形成する軸孔３ｇがあけられている。
【００３４】
第２部材３０２は、筒状に形成されて、その先端が第２部材３０２の後端に、例えばねじ込まれることで連結される。そして、係止具止め部材３０３は、リング状に形成されて、第２部材３０２の後端に取り付けられる。そこで、これら第２部材３０２と係止具止め部材３０３とで、前記接続口３ｂが形成される。この接続口３ｂは、その内部において、奥部３ｈよりも口元側が、径大に形成された径大部３ｉとなっている。そして、奥部３ｈには、径大部３ｉ寄りの位置に、止水部材１０が嵌まる溝３ｊが形成されている。また、この接続口３ｂの口元部分には、外周（詳細には、係止具止め部材３０３の外周）に開口して、接続口３ｂ内（詳細には、径大部３ｉ）を横切るように、つまり、第２部材３０２および係止具止め部材３０３を貫通するように、孔３ｋ、３ｋがあけられ、さらに、外周（詳細には、係止具止め部材３０３の外周）には、掛止部３ｍが鉤状に突出形成されている。
【００３５】
そこで、枝管１０１の接続端部１ａは、接続口３ｂに挿入されて、その接続口３ｂに、着脱自在な抜け止め係止具８ａによって抜け止めされた状態で接続される。すなわち、枝管１０１の接続端部１ａは、接続口３ｂに挿入されることで、その接続端部前部１ｂが、接続口３ｂの奥部３ｈに嵌まり、接続端部１ａに取り付けられたリング体９が、接続口３ｂの径大部３ｉに嵌まる。そして、抜け止め係止具８ａが、接続口３ｂの孔３ｋに挿入されて、掛止部３ｍに掛かることで、その接続口３ｂに取り付けられる。このとき、接続口３ｂ内において、抜け止め係止具８ａが、枝管１０１を挟むようにしてリング体９の後端と係合する。このようにして、抜け止め係止具８ａが、接続口３ｂに取り付けられ、この抜け止め係止具８ａにより、リング体９、ひいては枝管１０１は、接続口３ｂに対して抜け止めされる。
【００３６】
バルブ機構４は、ボール状の弁体４ａを備える。詳細には、バルブ機構４は、弁体４ａと、その弁体４ａの両側に配置されるパッキン４ｂ、４ｂとからなる。操作部７は、軸部材７０１と操作部材７０２とからなり、これら軸部材７０１と操作部材７０２とがビス１２によって連結される。軸部材７０１は、例えば金属製であって、柱状に形成されて、継手本体３の軸孔３ｇに挿入されて、前記回動軸心Ｙ回りに回動可能となっている。そして、操作部材７０２は、例えば合成樹脂製であって、前記回動軸心Ｙを軸心とする柱状部７ｃと、その柱状部７ｃから前記回動軸心Ｙと交差する方向に延出する前記把持部７ｂとからなる。そこで、軸部材７０１と操作部材７０２の柱状部７ｃとで、前記軸部７ａが構成される。そして、軸部７ａ（詳細には、軸部材７０１）には、突部形状の係合部７ｄが設けられ、この係合部７ｄが、弁体４ａに形成された溝状の被係合部４ｃに係合することで、操作部７と弁体４ａとは、一体となって前記回動軸心Ｙ回りに回動する。ここにおいて、操作部７の回動範囲Ｒを所定範囲に制限するために、継手本体３（詳細には、バルブ機構収容部３ｃ）には、ピン１３が設けられ、操作部７（詳細には、軸部７ａ）には、前記ピン１３が入るとともにそのピン１３の相対移動を制限する凹部７ｅが設けられている。
【００３７】
把持部７ｂは、軸部７ａの突出する方向を上方とみなして、基端よりも先端が上方に位置するよう、傾斜して形成されている。そして、把持部７ｂの先端部分の下面は、斜めの面７ｆで面取りされた形状をしている。また、この把持部７ｂの両側部には、指を掛けることができる窪み７ｇ、７ｇが形成されている。
【００３８】
ヘッダー５は、例えば合成樹脂製であって、図示実施の形態においては、内筒５０１と外筒５０２との二重成形品である。このヘッダー５は、主筒部５ｂと、その主筒部５ｂから側方に向けて延出した（図示実施の形態においては、主筒部５ｂから直交方向に分岐した）複数の枝筒部５ｃ、５ｃとからなる。そして、主筒部５ｂの一端側は、止水プラグ１４で塞がれ、主筒部５ｂの他端側には、補助継手１５を介して、流体管１としての主管１０２が接続される。枝筒部５ｃは、前記継手受口５ａとなって、この継手受口５ａは、前記継手２の連結口３ａが挿入可能に形成されている。すなわち、継手受口５ａは、その内部において、奥部５ｄよりも口元側が、径大に形成された径大部５ｅとなっている。そして、この継手受口５ａの口元部分には、外周に開口して、継手受口５ａ内（詳細には、径大部５ｅ）を横切るように、孔５ｆ、５ｆがあけられ、さらに、外周には、掛止部５ｇが突出形成されている。
【００３９】
そこで、継手２の連結口３ａは、継手受口５ａに挿入されて、その継手受口５ａに、前記抜け止め係止具８ａによって抜け止めされた状態で連結される。すなわち、連結口３ａは、継手受口５ａに挿入されることで、その先端部３ｄが、継手受口５ａの奥部５ｄに嵌まり、その環状部３ｅが、継手受口５ａの径大部５ｅに嵌まる。そして、抜け止め係止具８ａが、継手受口５ａの孔５ｆ、５ｆに挿入されて、掛止部５ｇに掛かることで、その継手受口５ａに取り付けられる。このとき、継手受口５ａ内において、抜け止め係止具８ａが、連結口３ａの係合溝３ｆに係合する。こうして、抜け止め係止具８ａが、継手受口５ａに取り付けられ、この抜け止め係止具８ａにより、連結口３ａ、ひいては継手２は、継手受口５ａに対して抜け止めされる。なお、図中符号１６は、止水部材１０を押さえるリング状の押え部材である。
【００４０】
ところで、抜け止め係止具８ａは、例えば、金属製の線材からなり、略コの字形状に形成されている（図３参照）。そこで、継手２の接続口３ｂにおいては、抜け止め係止具８ａは、略コの字形状の対向する対向片８ｂ、８ｂが、孔３ｋ、３ｋに挿入されて、枝管１０１におけるリング体９の後端と係合する。そして、抜け止め係止具８ａにおける、対向片８ｂ、８ｂを繋ぐ中間片８ｃが、掛止部３ｍに掛かる。そして、ヘッダー５の継手受口５ａにおいては、抜け止め係止具８ａの対向片８ｂ、８ｂが、孔５ｆ、５ｆに挿入されて、継手２における係合溝３ｆと係合し、抜け止め係止具８ａの中間片８ｃが、掛止部５ｇに掛かる。
【００４１】
次に、以上の構成からなる継手２およびヘッダー装置６の作用効果について説明する。継手２によると、継手２、２どうしを、継手軸心Ｘおよび回動軸心Ｙに直交する方向Ｐに並設するにあたって、一の継手２の把持部７ｂが、継手軸心Ｘに直交する第２位置にて、その把持部７ｂの延出する側にある他の継手２の軸部７ａと、回動軸心Ｙの方向から見て重なるまで（すなわち、一の継手２の操作部回動範囲Ｒと、他の継手２の操作部回動範囲Ｒとが、回動軸心Ｙの方向から見て一部が重なるまで）、継手２、２を互いに近づけて配置した場合であっても、操作部７、７が個別に操作可能となるように、把持部７ｂの先端部は、軸部７ａの突出する方向を上方とみなして、軸部７ａの上面および把持部７ｂの基端側の上面よりも上方に位置している（すなわち、操作部７は、一の継手２の操作部回動範囲Ｒと他の継手２の操作部回動範囲Ｒとの重なる範囲を形成するそれぞれの部位が、回動軸心Ｙの方向に互いにずれるように設けられている）（図４、図６、図７参照）。そして、ヘッダー装置６によると、ヘッダー５に対して、複数の継手２、２を、継手軸心Ｘおよび回動軸心Ｙに直交する方向Ｐに並設するにあたって、一の継手２の把持部７ｂが、第２位置にて、その把持部７ｂの延出する側にある他の継手２の軸部７ａと、回動軸心Ｙの方向から見て重なるまで（すなわち、一の継手２の操作部回動範囲Ｒと、他の継手２の操作部回動範囲Ｒとが、回動軸心Ｙの方向から見て一部が重なるまで）、継手２、２が互いに近づいており、このように継手２、２を配置した場合であっても、操作部７、７が個別に操作可能となるように、把持部７ｂの先端部は、軸部７ａの突出する方向を上方とみなして、軸部７ａの上面および把持部７ｂの基端側の上面よりも上方に位置している（すなわち、操作部７は、一の継手２の操作部回動範囲Ｒと他の継手２の操作部回動範囲Ｒとの重なる範囲を形成するそれぞれの部位が、回動軸心Ｙの方向に互いにずれるように設けられている）（図４、図６、図７参照）。
【００４２】
このように、操作部７において、把持部７ｂの先端部を、軸部７ａの突出する方向を上方とみなして、軸部７ａの上面および把持部７ｂの基端側の上面よりも上方に位置させることにより、一の継手２の操作部回動範囲Ｒと他の継手２の操作部回動範囲Ｒとの重なる範囲を形成するそれぞれの部位を、回動軸心Ｙの方向に互いにずらすことで、操作部７における把持部７ｂを短くすることなく、継手２、２どうしを、操作部回動範囲Ｒ、Ｒが重なるまで近づけて配置することができたり、把持部７ｂを、操作部回動範囲Ｒ、Ｒが重なるまで長くすることができる。また、このように把持部７ｂを短くする必要がないことから、その把持部７ｂを握って操作部７を容易に回動操作することができる。
【００４３】
また、操作部７は、その把持部７ｂの先端部分の下面が、斜めの面７ｆで面取りされた形状をしており、これによって、把持部７ｂの基端側の肉厚を確保したまま、把持部７ｂの先端部を、軸部７ａの上面おび把持部７ｂの基端側の上面よりも上方に位置させることができる。
【００４４】
また、把持部７ｂには、指を掛けることができる窪み７ｇが形成されており、この窪み７ｇに指を掛けることで、把持部７ｂから指が滑ることなく操作部７を回動操作することができる。
【００４５】
また、ヘッダー５の継手受口５ａに継手２の連結口３ａを連結するにあたって、連結口３ａを継手受口５ａの軸心方向Ｑに移動させて継手受口５ａに挿入することができる。したがって、連結口３ａ、ひいては継手２を回動させる必要がなく、このため、継手２を並設した場合にも、操作部７の干渉を避けて連結することができる。
【００４６】
また、図２に示すように、把持部７ｂは、継手軸心Ｘに沿う第１位置にて、継手本体３よりも短く形成されている。このため、継手２が嵩張ることがなく、この継手２の運搬とか保管性がよい。
【００４７】
なお、本発明は、上述した実施の形態に限定されるわけではなく、その他種々の変更が可能である。例えば、継手２、２どうしを、継手軸心Ｘおよび回動軸心Ｙに直交する方向Ｐに並設するにあたって、一の継手２の把持部７ｂが、前記第２位置にて、その把持部７ｂの延出する側にある他の継手２の軸部７ａと、回動軸心Ｙの方向から見て重なるまで、それら継手２、２を互いに近づけて配置したが、さらに、一の継手２の把持部７ｂが、前記第２位置にて、その把持部７ｂの延出する側にある他の継手２の軸部７ａと、回動軸心Ｙの方向から見て重なり、かつ、継手本体３、３どうしが当接するするまで、それら継手２、２を互いに近づけて配置し、その配置した際に、それら継手２、２の操作部７、７が互いに干渉することなく個別に操作可能となるよう、継手２の操作部７において、把持部７ｂの先端部は、軸部７ａの突出する方向を上方とみなして、軸部７ａの上面および把持部７ｂの基端側の上面よりも上方に位置してもよい。
【００４８】
また、継手２、２どうしを、継手軸心Ｘおよび回動軸心Ｙに直交する方向Ｐに並設するにあたって、一の継手２の操作部７の回動する操作部回動範囲Ｒと、他の継手２の操作部７の回動する操作部回動範囲Ｒとが、回動軸心Ｙの方向から見て一部が重なるのであれば、必ずしも、一の継手２の把持部７ｂが、第２位置にて、その把持部７ｂの延出する側にある他の継手２の軸部７ａと、回動軸心Ｙの方向から見て重ならなくともよい。図８および図９は、その実施形態を示しており、操作部７は、軸部７ａと把持部７ｂの他に、軸部７ａから、把持部７ｂとは反対側に延出する補助把持部７ｘを備えている。そして、第２位置にて、一の継手２の把持部７ｂと、他の継手２の補助把持部７ｘとが、回動軸心Ｙの方向から見て重なるまで、継手２、２が互いに近づいている。
【００４９】
また、継手２は、その継手本体３が直状に形成されなくとも、曲がって形成されてもよい。
【００５０】
また、継手２の接続口３ｂへの流体管１（詳細には、枝管１０１）の接続にあたって、流体管１を接続口３ｂに挿入した後に、その接続口３ｂと交差するように抜け止め係止具８ａを取り付けているが、この流体管１の接続は、流体管１を接続口３ｂに挿入するのみで、内部の爪で流体管１が係止されて抜け止めされてもよい。
【００５１】
また、継手２の接続口３ｂには、流体管１（詳細には、枝管１０１）が直接接続されなくとも、他の継手を介して流体管１が接続されてもよい。
【００５２】
また、継手２やヘッダー５が対象とする流体は、湯水でなくとも、その他の液体であってもよく、また、液体以外に、燃料用のガス等、その他の気体であってもよい。
【符号の説明】
【００５３】
１０１  枝管（流体管）
２  継手
３  継手本体
３ａ  連結口
３ｂ  接続口
４  バルブ機構
５  ヘッダー（第２の継手）
５ａ  継手受口
６  ヘッダー装置
７  操作部
７ａ  軸部
７ｂ  把持部
７ｆ  斜めの面
８  抜け止め手段
８ａ  抜け止め係止具
Ｘ  継手軸心
Ｙ  回動軸心
Ｐ  継手軸心および回動軸心に直交する方向
Ｑ  継手受口の軸心方向
Ｒ  操作部回動範囲
【図１】
2010286075.tif 000003
【図２】
2010286075.tif 000004
【図３】
2010286075.tif 000005
【図４】
2010286075.tif 000006
【図５】
2010286075.tif 000007
【図６】
2010286075.tif 000008
【図７】
2010286075.tif 000009
【図８】
2010286075.tif 000010
【図９】
2010286075.tif 000011